(57)【特許請求の範囲】
【請求項１】
結像光学系によって矩形のフォーカシングスクリーンに結像された被写体像をペンタプリズムを介して接眼レンズより観察するファインダー光学系を有すると共に、該フォーカシングスクリーン上あるいは被写体像の予定結像面近傍に配置された反射板上の第１および第２の表示部を該ペンタプリズムを通して照明手段により照明し、該表示部の反射光を該被写体像と共に該接眼レンズから観察可能とする表示手段を有するカメラにおいて、
前記照明手段は、第１の表示部を照明するための第１の光源と、前記第１の表示部に対して前記フォーカシングスクリーンの長辺方向に垂直な方向側に配置された第２の表示部を照明するための前記第１の光源とは異なる第２の光源と、少なくとも一部が該ペンタプリズム前部に配置され、且つ前記第１の光源からの照明光を折り曲げて該ペンタプリズムの上部面に向けて第１の入射角度で投射し、該照明光を前記第１の表示部に照射する第１のプリズムと、少なくとも一部が該ペンタプリズム前部に配置され、且つ前記第２の光源からの照明光を折り曲げて該ペンタプリズムの上部面に向けて前記第１の入射角度とは異なる第２の入射角度で投射し、該照明光を表示部に照射する第2のプリズムとを前記フォーカシングスクリーンの長辺方向に連結して一体化された投光光学部材とを備え、
前記第１の表示部は、前記第１の照射角度に対し、ほぼ垂直となる傾斜角の稜線を有する微小プリズムを備え、
前記第２の表示部は、前記第２の照射角度に対し、ほぼ垂直となり且つ前記第１の表示部の稜線の傾斜角とは異なる傾斜角の稜線を有する微小プリズムを備えることを特徴とするカメラ。
【発明の詳細な説明】
【０００１】
【産業上の利用分野】
本発明は一眼レフカメラ等のスーパーインポーズ表示機能を有する一眼レフカメラの表示装置に関するものである。
【０００２】
【従来の技術】
従来から、例えば特開平７−２４４３１７号公報や、特開平１−２７７２２５号公報に記載されているようなスーパーインポーズ表示機能を有するカメラが知られている。
このような従来のカメラでは、結像光学系によってフォーカシングスクリ−ンに結像された被写体像をペンタプリズムを介して接眼レンズにより観察するファインダー光学系を有すると共に、フォーカシングスクリーン上あるいは被写体像の予定結像面近傍に配置された反射板上の表示部を、ペンタプリズムを通して照明手段により照明し、表示部の反射光を被写体像と共に接眼レンズで観察可能としている。
【０００３】
【発明が解決しようとする課題】
通常、スーパーインポーズ表示される表示部は、微小なプリズムの集合体により構成されている。
この表示部の視認性（アイポイントに関する問題）を向上させるには、照明手段から照射された照明光の、微小プリズムへの入射角度が重要な要素となってくる。しかしながら従来技術では、照明光の微小プリズムへの入射角度に関する問題は述べられていなかった。
【０００４】
本発明の目的は、表示部（微小プリズム）がどのエリアにあっても、照明光の表示部における反射光をアイポイントに導くことができ、使用者がファインダーを見る目の位置を動かす（目を振る）ことなく容易にファインダー内表示を視認することができるカメラを提供することにある。
【０００５】
【課題を解決するための手段および作用】
上記目的を達成するために本発明では、結像光学系によって矩形のフォーカシングスクリーンに結像された被写体像をペンタプリズムを介して接眼レンズより観察するファインダー光学系を有すると共に、該フォーカシングスクリーン上あるいは被写体像の予定結像面近傍に配置された反射板上の第１および第２の表示部を該ペンタプリズムを通して照明手段により照明し、該表示部の反射光を該被写体像と共に該接眼レンズから観察可能とする表示手段を有するカメラにおいて、前記照明手段は、第１の表示部を照明するための第１の光源と、前記第１の表示部に対して前記フォーカシングスクリーンの長辺方向に垂直な方向側に配置された第２の表示部を照明するための前記第１の光源とは異なる第２の光源と、少なくとも一部が該ペンタプリズム前部に配置され、且つ前記第１の光源からの照明光を折り曲げて該ペンタプリズムの上部面に向けて第１の入射角度で投射し、該照明光を前記第１の表示部に照射する第１のプリズムと、少なくとも一部が該ペンタプリズム前部に配置され、且つ前記第２の光源からの照明光を折り曲げて該ペンタプリズムの上部面に向けて前記第１の入射角度とは異なる第２の入射角度で投射し、該照明光を表示部に照射する第2のプリズムとを前記フォーカシングスクリーンの長辺方向に連結して一体化された投光光学部材とを備え、前記第１の表示部は、前記第１の照射角度に対し、ほぼ垂直となる傾斜角の稜線を有する微小プリズムを備え、前記第２の表示部は、前記第２の照射角度に対し、ほぼ垂直となり且つ前記第１の表示部の稜線の傾斜角とは異なる傾斜角の稜線を有する微小プリズムを備えるように構成した。
【０００６】
【作用】
本発明によれば、照明光の微小プリズムへの照射角度を、微小プリズムの稜線に対して直交となるように構成したので、使用者（観察者）は目を振ることなく全ての表示部を確認することができ、ファインダー視野内の視認性を向上させることができる。
【０００７】
【発明の実施の形態】
以下、本発明を一眼レフカメラに適用した場合の一実施形態を説明する。
図１は一眼レフカメラを横から見た断面図である。カメラの上部には、カメラ上部の外観部材となるカメラ上カバー１が設けられている。、
不図示の撮影光学系（結像光学系）を介した被写体光Ｌは、可動ミラー３が観察位置（図１の位置、ミラーダウン位置）にある時には、可動ミラー３により反射されて、フォーカシングスクリーン１１、後述する反射板１２、ペンタプリズム１３，接眼レンズ５，６、接眼レンズ保護ガラス７（接眼部）を介して、撮影者により観察される。可動ミラー３がミラーアップして不図示の撮影位置（ミラーアップ位置）にある時には、被写体光Ｌはフィルム２に到達してフィルムを露光する（被写体光Ｌはフィルム２上に撮影される）。
【０００８】
ペンタプリズム１３の接眼レンズ近傍（ペンタプリズム１３の後部で且つ接眼レンズ５，６の上部）には、被写体輝度を測定するための公知の測光レンズ８と測光センサー９とが配置されている。
電気実装部品を搭載したフレキシブルプリント基板１８は、ペンタプリズム１３の外周を覆うように配置されている。
【０００９】
ペンタプリズム１３の前部には、反射板１２上に設けられた表示部の表示内容（図４，図５に示した焦点検出枠１２ａ〜１２ｅ）を、被写体光Ｌと重ね合わせて接眼レンズ５，６から撮影者に同時に視認可能とするための、即ち表示部の内容（焦点検出枠１２ａ〜１２ｅ）をスーパーインポーズ表示するための投光要素（１４〜１７）が設けられている。
【００１０】
ペンタプリズム１３の前部（被写体側、結像光学系側）のスペースには、発光ダイオード（以下ＬＥＤと言う）１５（照明手段、光源）と、絞りマスク１６（照明手段）とを備えた投光ホルダー１７（照明手段）と、投光プリズム１４（照明手段、投光光学部材）とが配置されている。
フォーカシングスクリーン１１、反射板１２、ペンタプリズム１３は、投光ホルダー１７は、不図示のカメラ本体に支持されている。そして投光ホルダー１７は、このカメラ本体にネジにより取り付けられている。
【００１１】
次に図２を用いて、本実施形態で用いられる投光要素の具体的構成を説明する。
図２は、光源であるＬＥＤ１５と投光プリズム１４及びペンタプリズム１３の配置を斜視図である。
投光ホルダー１７は、５つのＬＥＤ１５ａ〜１５ｅと、該５つのＬＥＤにそれぞれ対応する５つの開口を備えた絞りマスク１６（図２では不図示）とを備えている。本実施形態では、後述するオートフォーカスのための焦点検出領域が５点あるので、おのおのの焦点検出枠１２ａ〜１２ｅにそれぞれ対応するようにＬＥＤ１５を５個設けている（図５にて後述する）。この５つのＬＥＤ１５ａ〜１５ｅは図２に示す如く平行に配置されている。
【００１２】
投光プリズム１４は、該５つのＬＥＤ１５ａ〜１５ｅからの投光を、それぞれペンタプリズム１３へ導くために５分割されている。これによりＬＥＤ１５ａの投光はプリズム１４ａにより、ＬＥＤ１５ｂの投光はプリズム１４ｂにより、ＬＥＤ１５ｃの投光はプリズム１４ｃにより、ＬＥＤ１５ｄの投光はプリズム１４ｄにより、ＬＥＤ１５ｅ投光はプリズム１４ｅにより、それぞれペンタプリズム１３の上面１３ａに導かれる。
【００１３】
なお本実施形態の投光プリズム１４は樹脂により成形されている。
各投光プリズム１４ａ〜１４ｅについて、一例として投光プリズム１４ｅを用いて詳述する。
投光プリズム１４ｅは２つの反射面（第１反射面１４ｅ１と第２反射面１４ｅ２）と、レンズ部１４ｅ３とを備えている。第１反射面１４ｅ１は全反射面の鏡面として形成されている。もう一方の鏡面である第２反射面１４ｅ２は、全反射面でない。第２反射面１４ｅ２の、焦点検出枠１２ａ〜１２ｅに導かれるべきＬＥＤ光の反射に関係する範囲（第２反射面１４ｅ２の中央部分）には、アルミニウム等の反射物質が蒸着されている。これにより第２反射面１４ｅ２は反射率を上げている。
【００１４】
ＬＥＤ１５ｅからのＬＥＤ光は、投光プリズム１４ｅに入射すると、反射面１４ｅ１で全反射し、さらに反射面１４ｅ２で反射して先端のレンズ部１４ｅ３で集光される。
投光プリズム１４ａ〜１４ｄも、上述した投光プリズム１４ｅと同様な構造となっている。
【００１５】
但し５つの投光プリズム１４ａ〜１４ｅのそれぞれの第１反射面１４ａ１〜１４ｅ１は，照射する（対応する）焦点検出枠１２ａ〜１２ｅの位置に応じてそれぞれ微妙に反射角度を変えており、第１反射面が５カ所とも同一面とはなっていない。このことは第２反射面１４ａ２〜１４ｅ２についても同様である。
そして各投光プリズム１４ａ〜１４ｅより射出した各ＬＥＤ光は、ペンタプリズム１３の上面１３ｂ（ペンタプリズムの上部面）からペンタプリズム内に入射する。
【００１６】
なお、通常ペンタプリズム１３の三角形の上面１３ａの全面は非反射面としている（黒色塗装を施したり、また粗削り面に成形したりすることにより非反射面としている）が、本実施形態では、入射面を確保するために上面１３ａの一部１３ｂ（台形状の面）を鏡面にしている。即ち図２で言うと、１３ａ１の部分が非反射面であり、１３ｂの部分が鏡面となっている
次に図３、図４を用いて、反射板１２の構成について説明する。
【００１７】
図３は反射板１２を横から見た断面拡大図である。
反射板１２は、フォーカシングスクリーン１１に対向する面上１２ｆ（ペンタプリズム１３に対向する側とは反対側の面上、プリズム形成面）に、多数の微細なプリズム（微小プリズム）から成る複数のプリズムの集合部分１２ａ〜１２ｅ（図３ではこのうち１２ａ〜１２ｃを示している）を備えている。この複数のプリズム集合部分１２ａ〜１２ｅが、焦点検出枠１２ａ〜１２ｅ（表示部）をそれぞれ形成する。
【００１８】
各プリズム集合部分１２ａ〜１２ｅの断面形状は、図３に示すように微小三角形の集まりである。
不図示の撮影光学系（結像光学系）より入射した光束（被写体光Ｌ）は、このプリズム部分１２ａ〜１２ｅで屈折して接眼レンズ５、６方向への至らない。このため通常時（ＫＥＤ光が照射されていない時）に撮影者が接眼部７から観察した場合、この部分１２ａ〜１２ｅは他のファインダー内視野に比べて薄暗く視認される。
【００１９】
一方、ＬＥＤ１５により、図３中の斜め上方から反射板１２の焦点検出枠１２ａ〜１２ｅを照明すると 、例えば中央エリア１２ａに対応するＬＥＤ光Ｌ１に注目して考えると焦点検出枠１２ａの一部を構成するプリズムの斜面１２ａ1で全反射しさらに対向する斜面１２ａ2でも全反射して真上に向かうことになる。なお各焦点検出枠を構成するプリズム１２ａ〜１２ｅに入射しなかったＬＥＤ光は、フォーカシングスクリーンを通って可動ミラー３の方に抜けるので、撮影者には視認されない。
【００２０】
なお天エリア１２ｂ、地エリア１２ｃにそれぞれ対応するＬＥＤ光Ｌ２、Ｌ３は、それぞれ斜面１２ｂ１、１２ｃ１、及び斜面１２ｂ２、１２ｃ２で反射する。これらの斜面１２ｂ１、１２ｃ１、１２ｂ２、１２ｃ２は、ＬＥＤ光Ｌ２，Ｌ３を真上でなくアイポイントに導くように、エリアごとに微妙に斜面の角度を変えて形成されている。このことは、他の２エリア１２ｄ、１２ｅの微細プリズム（不図示）についても同様である。
【００２１】
なお、反射板１２上のプリズム集合部分１２ａ〜１２ｅ以外の部分（プリズム形成面１２ｆのプリズム部以外の部分と、面１２ｇの全面）は、透明である。このためＬＥＤ光が照射されると、このＬＥＤ光は、このプリズム部分１２ａ〜１２ｅで反射される以外は反射板１２内で何らの屈折、反射もされることなく接眼レンズ部５〜７に導かれる。これにより、ファインダー内で通常（ＬＥＤ光が照射されていない状態）黒く（薄暗く）視認される焦点検出枠１２ａ〜１２ｅは、ＬＥＤ光に照射されて見える。本実施形態のＬＥＤ光は赤い光を照射するものを用いているため、選択されている焦点検出枠（１２ａ〜１２ｅのいずれか）は赤く表示される。この赤いＬＥＤ光により撮影者は、どの焦点検出枠が選択されているかを一目で識別することができる。
【００２２】
なお反射板１２のプリズム形成面１２ｆを、マット面１１ａとフレネル面１１ｂとを持つフォーカシングスクリーン１１にできるだけ接近させて配置しているので、撮影者がマット面１１ａと焦点検出枠１２ａ〜１２ｅとの視度の違い感じることはほとんど無い。
図４は反射板１２の斜視図であり、プリズム形成面１２ｆを上にした斜視図である。
【００２３】
焦点検出枠１２ａ〜１２ｅは、中央エリア１２ａ、天エリア１２ｂ、地エリア１２ｃ、左エリア１２ｄ、右エリア１２ｅの５カ所である。
また本実施形態では、プリズム形成面１２ｆに、測光領域（図４では中央部重点測光の範囲）を示す線１２ｈを設けている。この理由は、従来のカメラでは中央部重点測光の範囲を示す刻線をフォーカシングスクリーン１１のマット面１１ａに設けていたが、この従来の構成を採用すると、刻線１２ｈと反射板１２の焦点検出枠１２ａ〜１２ｅとの間に位置ずれ（視差）を生じる可能性がある。このため本実施形態では、刻線１２ｈを、反射板１２のプリズム形成面１２ｆ上に設けて、上記位置ずれの発生を防止している。
【００２４】
本実施形態では線１２ｈを、この線１２ｈに対応する刻みを備えた型を用いて射出成形により形成している。このため反射板１２上の線１２ｈは凸状（微小突起状）になっている。
なお、線１２ｈは必ずしもプリズム形成面１２ｆ上に設ける必要はない（反射板１２の面１２ｇ上に形成しても良い）が、しかしながら上記位置ずれの発生（視差の発生）を抑制するためには、できるだけ線１２ｈをフォーカシングスクリーン１１のマット面１１ａに近接させることが好ましいので、本実施形態では線１２ｈをプリズム形成面１２ｆ上に形成している。
【００２５】
図５は反射板１２の焦点検出枠１２ａ〜１２ｅを構成する微細プリズム（微小プリズム）の斜面の向きと、ＬＥＤ１５からの入射光の角度の関係を表した図である。
図５中の各検出枠１２ａ〜１２ｅの枠内に記載された斜線は、各微細プリズムの稜線を示している。
【００２６】
ＬＥＤ１５からの入射光に対し、各プリズムの斜面（稜線）が略直交するように配置構成している。これにより中央エリアの焦点検出枠１２ａ以外の焦点検出枠１２ｂ〜１２ｅに対応するＬＥＤ１５ｂ〜１５ｅのＬＥＤ反射光も、アイポイントに到達することができ、どの焦点検出枠であっても、撮影者は目を振ることなく（目の位置を変えることなく）容易に視認することができる。
【００２７】
図５から明らかなように、ＬＥＤ１５ａのＬＥＤ光Ｌ１は焦点検出枠１２ａを照明し、ＬＥＤ１５ｂのＬＥＤ光Ｌ３は焦点検出枠１２ｃを照明し、ＬＥＤ１５ｃのＬＥＤ光Ｌ２は焦点検出枠１２ｃを照明し、ＬＥＤ１５ｄのＬＥＤ光Ｌ５は焦点検出枠１２ｅを照明し、ＬＥＤ１５ｅのＬＥＤ光Ｌ４は焦点検出枠１２ｄを照明する。
【００２８】
なお、本実施形態では、図５から明らかなように、各焦点検出枠１２ａ〜１２ｅの微細プリズムの稜線（斜面）の角度は、検出枠毎に異なる角度となっているが、本発明はこれに限られるものでは無い。
例えば、検出枠毎の微細プリズムの傾斜角度（稜線の角度）を全て同じにしておく代わりに、各投光プリズム１４ａ〜１４ｅの２つの反射面（第１反射面１４ａ１〜１４ｅ１と第２反射面１４ａ２〜１４ｅ２）の傾斜角度を調節することで、各照明光の対応する各微細プリズムへの照射角度を、各微細プリズムの稜線に対して直交となるように構成しても良い。
【００２９】
ここで、図１乃至図３、図５を用いて、ＬＥＤ１５から投光されたＬＥＤ光の伝達経路について説明する。
ＬＥＤ１５からＬＥＤ光Ｌ１〜Ｌ５（可視光）が投光されると、該ＬＥＤ光は、まず絞りマスク１６に設けられた不図示の開口により絞られる（図１参照）。この絞りマスクで絞られることにより、ＬＥＤ光の光束が広くなって、そのＬＥＤに対応しない他の焦点検出枠を照明することを防いでいる。
【００３０】
その後ＬＥＤ光Ｌ１〜Ｌ５は、投光プリズム１４に入射する（図１、図２参照）。投光プリズム１４は、入射したＬＥＤ光Ｌ１〜Ｌ５を、上述した如く反射、集光しながらペンタプリズム１３の上面１３ａ（ペンタプリズムの上部面）へ導く（図１，図２参照）。
ペンタプリズム１３に入射したＬＥＤ光Ｌ１〜Ｌ５は、図１、図３に示した如き光路（図１，図３ではＬＥＤ光Ｌ１〜Ｌ３のみ図示）によりペンタプリズム１３を一旦通過し、反射板１２に到達する。
【００３１】
反射板１２に入射したＬＥＤ光は、上述の如くプリズム形成面１２ｆ上の微細プリズム１２ａ〜１２ｅで反射した後、再びペンタプリズム１３に入射する（図１，図３参照）。
その後のＬＥＤ光は、被写体光Ｌと同様の経路（図１の如くペンタプリズム１３内部で反射されて、接眼レンズ５，６、接眼レンズ保護ガラス７へと導かれる経路）をたどった後、撮影者に視認される。
【００３２】
【発明の効果】
以上のように本発明によれば、照明光の微小プリズムへの照射角度を、微小プリズムの稜線に対して直交となるように構成したので、使用者（観察者）は目を振ることなく全ての表示部を確認することができ、ファインダー視野内の視認性を向上させることができる。
【図面の簡単な説明】
【図１】図１は、一眼レフカメラを横から見た縦断面図である。
【図２】図２は、ＬＥＤと投光プリズム及びペンタプリズムの配置を示す斜視図である。
【図３】図３は、反射板の断面、及び照明光学系からの光路を示す拡大断面図である。
【図４】図４は、反射板の斜視図である。
【図５】図５は、反射板上の焦点検出枠を構成する微細プリズムの斜面の向きと、ＬＥＤからの入射光の角度の関係を表した図である。
【主要部分の符号の説明】
１              カメラ上カバー
３              可動ミラー（ミラー部材）
５，６          接眼レンズ（ファインダー光学系）
７              接眼レンズ保護ガラス（ファインダー光学系、接眼部）
１１            フォーカシングスクリーン（焦点板）
１２            反射板（表示板、表示部材）
１２ａ〜１２ｅ  焦点検出枠（表示部、プリズム集合部分、微小プリズム、微細プリズ                  ム）
１３            ペンタプリズム（ファインダー光学系）
１３ａ          上面（ペンタプリズム上部面）
１３ａ１        非反射面（非鏡面、粗削り面、塗装面、塗膜面）
１３ｂ          鏡面（光透過面、透光面）
１４            投光プリズム（照明手段、投光要素、投光光学部材）
１５            発光ダイオード（ＬＥＤ光源、投光要素、照明手段、光源）
１６            絞りマスク（照明手段、投光要素、絞り部材）
１７            投光ホルダー（照明手段、投光要素、保持部材）
１８            フレキシブルプリント基板（回路基板）
Ｌ              被写体光
Ｌ１〜Ｌ５      ＬＥＤ光（照明光）
【図１】
0004324997.tif 000002
【図２】
0004324997.tif 000003
【図３】
0004324997.tif 000004
【図４】
0004324997.tif 000005
【図５】
0004324997.tif 000006